(57)【特許請求の範囲】
【請求項１】
略三角形状を成した２枚の側板と、３枚の表示板により三角柱を成すように構成される表示部を有し、
前記２枚の側板における中央部を貫通し、該２枚の側板に固定された回転軸と、
前記２枚の側板のそれぞれにおいて、三角形の３頂点付近における内側に設けられた３つのガイドピンと、
前記２枚の側板のそれぞれの内側において、各辺に沿って設けられた受け部材と、
前記３枚の表示板のそれぞれには、３角柱を成す形状となるときに前記２枚の側板と当接する両側面に、前記ガイドピンが入り込む筋状の溝がそれぞれ形成されており、
各表示板は、
正面を向く位置では、前記溝の一端部にガイドピンが位置し、該ガイドピンを軸として垂直方向に垂れ下がった状態となり、
前記回転軸の回転により、前記表示板の第１の面が正面を向く位置から奥側へ引き込まれ該表示板が水平に寝かされた位置を過ぎて、該表示板の前記ガイドピン側が下がった位置では、該表示板は受け部材に支えられた状態にて傾斜により前記ガイドピンをガイドとしてスライドして、前記溝の他端部に前記ガイドピンが位置する状態となり、
前記回転軸の更なる回転により、前記溝の他端部にガイドピンが位置したままで、該ガイドピンを軸として垂直方向に垂れ下がったときに、前記第１の面の裏面である第２の面が前記正面を向く状態となることを特徴とする表示装置。
【請求項２】
前記表示部を複数個備え、これらを互いに干渉しない間隔で配置したことを特徴とする請求項１に記載の表示装置。
【請求項３】
前記複数個の表示部を連動して回転させる回転機構部を更に設けたことを特徴とする請求項１または請求項２に記載の表示装置。
【発明の詳細な説明】
【０００１】
【発明の属する技術分野】
本発明は、三角柱状又はそれに類似する形状の部材を回転させて複数の表示を行なう表示装置に関する。
【０００２】
【従来の技術】
従来、この種の表示装置は、三角柱状の表示部を回転させることで３通りの表示ができるようになっている。図１４の三面図（正面図、平面図及び側面図）に示すものはその一例であり、この例では３個の三角柱状の表示部１を有しており、これらが図１５に示すように互いに干渉しない（ぶつからない）間隔で配置されている。３個の表示部１の夫々の表面には文字等の情報が描かれている。各表示部１は連動して回転するようになっている。この表示装置の構造を詳細に説明すると、各表示部１にはその両端の一方の中央部に回転軸４が設けられており、その回転軸４の先端に取り付けられた笠歯車５が各表示部１の配列方向に設けられた駆動軸６の各笠歯車７と螺合している。
【０００３】
また、駆動軸６の一端（この図では下方側の端）部分に設けられた笠歯車８にはモータ９の回転軸１０の先端に設けられた笠歯車１１が螺合している。このような構造において、モータ９に通電すると、その動力が回転軸１０から駆動軸６に伝わり、更に駆動軸６から各表示部１の回転軸４に伝わる。これにより各表示部１が同一方向に回転する。
【０００４】
【発明が解決しようとする課題】
ところで、上述した従来の表示装置にあっては、表示部１のが三角柱状であることから３通りの表示しかできなく、表示量が足りないという問題点があった。この場合、表示部１を三角柱以上の形状にすれば表示量を増やすことが可能であるが、このようにした場合、次のような問題点が生ずる。即ち、表示部を四角柱にした場合には、複数個隣接させて相互に回転させたときに各表示部が互いに干渉し合わない程度に各表示部間に隙間を設けなければならず、このため各表示部間の隙間が大きく空くことから表示が見にくくなってしまう。また、五角柱以上の多面体にした場合には、一度に複数の面が見えてしまい、提供する情報を固定することができなくなる。また、円柱にした場合には、曲面の表示となって見にくくなってしまう。このようなことから、表示部を回転させて情報を伝える方式の表示装置では、表示部の形状は三角柱が最適であると言える。しかし、上述したように三角柱状では表示量に問題がある。
【０００５】
そこで本発明は、表示部を三角柱状或いはそれに類似した形状にしながらも、表示部が従来の同じ形状の表示装置よりも表示量を増やすことができる表示装置を提供することを目的としている。
【０００６】
【課題を解決するための手段】
本発明に係る表示装置は、略三角形状を成した２枚の側板と、３枚の表示板により三角柱を成すように構成される表示部を有し、前記２枚の側板における中央部を貫通し、該２枚の側板に固定された回転軸と、前記２枚の側板のそれぞれにおいて、三角形の３頂点付近における内側に設けられた３つのガイドピンと、前記２枚の側板のそれぞれの内側において、各辺に沿って設けられた受け部材と、前記３枚の表示板のそれぞれには、３角柱を成す形状となるときに前記２枚の側板と当接する両側面に、前記ガイドピンが入り込む筋状の溝がそれぞれ形成されており、各表示板は、正面を向く位置では、前記溝の一端部にガイドピンが位置し、該ガイドピンを軸として垂直方向に垂れ下がった状態となり、前記回転軸の回転により、前記表示板の第１の面が正面を向く位置から奥側へ引き込まれ該表示板が水平に寝かされた位置を過ぎて、該表示板の前記ガイドピン側が下がった位置では、該表示板は受け部材に支えられた状態にて傾斜により前記ガイドピンをガイドとしてスライドして、前記溝の他端部に前記ガイドピンが位置する状態となり、前記回転軸の更なる回転により、前記溝の他端部にガイドピンが位置したままで、該ガイドピンを軸として垂直方向に垂れ下がったときに、前記第１の面の裏面である第２の面が前記正面を向く状態となることを特徴とする。
【０００９】
請求項２記載の発明による表示装置は、前記表示部を複数個備え、これらを互いに干渉しない間隔で配置したことを特徴とする。
請求項３記載の発明による表示装置は、前記複数個の表示部を連動して回転させる回転機構部を更に設けたことを特徴とする。
【００１０】
【発明の実施の形態】
以下、図面を参照して本発明の表示装置の実施の形態について説明する。
図１は本発明に係る表示装置の実施の形態の構造を示す三面図である。なお、この実施の形態において、前述した図１４と共通する部分には同一の符号を付してその説明を省略する。
この実施の形態は、三角柱状の表示部に、三面の夫々が表裏反転する機構を設け、表示部を回転させた際に鉛直方向と反する方向に向いた面が、その状態から傾斜状態にある間に自重によって表裏が反転するようにしたものである。以下、この構造の詳細について説明する。なお、図１に示す表示装置は表示部を３個設けて連動させるようにしたものである。連動させる機構は図１４で示した従来の表示装置と同様であるのでその説明は省略する。
【００１１】
図２は表示部２０の分解状態を示す斜視図である。なお、この図では三枚ある表示板３２のうちの二枚を省略している。
この図において、表示部２０は、略三角形状に形成された二枚の側板３０、３１と、四角形状に形成された三枚の表示板３２と、回転軸４とから構成されている。側板３０、３１の夫々には互いに対向する面に断面四角形の棒状の表示板受け部材３５ａ〜３５ｃ及び断面円形のガイドピン３６ａ〜３６ｃがそれぞれ設けられており、表示板受け部材３５ａ〜３５ｃは図示のように側板３０、３１の夫々の周縁部の内側の辺方向に沿って配置されており、ガイドピン３６ａ〜３６ｃは図示のように側板３０、３１の夫々の各頂点部分に配置されている。側板３０、３１の夫々には、その中央部に回転軸４を嵌合させて固定するための貫通孔が開けられている。
【００１２】
側板３０、３１の夫々のガイトピン３６ａ〜３６ｃは三枚の表示板３２の夫々を保持するものであり、例えばこの図に示す表示板３２はガイドピン３６ａにより保持されている。三枚の表示板３２の夫々の両側面には、図３の斜視図に示すようにその長さ方向に沿って溝３８が形成されており、これらの溝３８にガイトピン３６ａが挿入される。各表示板３２の夫々の表面及び裏面には文字等の情報が描かれている。表示板受け部材３５ａ〜３５ｃの夫々は、図４の側面図に示すように、ガイドピン３６ａ〜３６ｃの内側に配置されており、ガイドピン３６ａ〜３６ｃによって保持された表示板３２を受けるものである。また、これら表示板受け部材３５ａ〜３５ｃは、三枚の表示板３２の夫々が回転軸４側へ行かないように制動をかける働きもする。この働きにより、各表示板３２が表示位置に来ている状態で風等が当たっても後側へ傾かないので、表示が見え難くなることを防止できる。
【００１３】
ここで、詳細は後述するが、表示板３２の一端を側板３０、３１のガイドピン３６ａにて保持させた状態でその一端側を傾斜させて行くと、即ち他端側が一端側よりも上方になるようにして傾斜させて行くと、表示板３２はその自重によって表示板受け部材３５ｂ上をスライドして行き、最終的にその他端側がガイドピン３６ａにて保持される。
【００１４】
図５はその様子を示したものであり、（イ）に示すように、表示板３２がその一端側をガイドピン３６ａにて保持されている状態から、現時点で表面側になっている表示板３２の一方の面３２ａが鉛直方向と反対の方向に向き、更にその状態を経過して傾斜状態になると、表示板３２は（ニ）、（ホ）に示すように自重によってスライドして行き、最終的に（ヘ）に示すようにその他端側がガイドピン３６ａによって保持される。この状態では、表示板３２の他方の面３２ｂが表面側になる。即ち、表示板３２を回転させて、鉛直方向になったところを外部に表示させようにすることで、１回転毎に２種類の表示内容を交互に表示できる。他の面の表示板についても同様になり、これによって６通りの表示が可能になる。
【００１５】
次に、図６〜図１２は、上記構成の表示部２０を２個設けて６０度ずつ回転させた場合の夫々の動きを示す側面図である。なお、説明上、２個の表示部２０を区別するために上側の表示部２０を２０ａとし、下側の表示部２０を２０ｂとする。
今、図６に示すように、表示部２０ａ、２０ｂの夫々の表示板３２の一方の面が表示位置に来ているものとする。この状態では、表示部２０ａの表示板３３と、表示部２０ｂの表示板３３、３４とがそれぞれ鉛直方向に垂れ下がっており、また表示部２０ａの表示板３４が表示部２０ｂの表示板３３の保持部分近傍に係止された状態になっている。また、表示部２０ａ、２０ｂの夫々の表示板３２は表示板受け部材３５ａに沿った状態で鉛直方向に垂れ下がっている。
【００１６】
上記状態から、表示部２０ａ、２０ｂが時計方向に６０度回転すると、図７に示すように表示部２０ａ、２０ｂの夫々の表示板３４の一方の面が見えて来る（なお、この図で示す状態では表示部２０ａの表示板３４の一方の面が完全に見えている）。そして、更に６０度回転し、表示部２０ａ、２０ｂの夫々の表示板３２の一方の面が鉛直方向と反対方向、即ち上に向いた状態から図８に示す傾斜状態になると、各表示板３２が表示板受け部材３５ａに沿ってスライドして行き、最終的にはそれまで一端側がガイドピン３６ａに保持されていたのが、他端側が保持される。
【００１７】
そして、更に６０度回転すると、図９に示すように、表示部２０ａ、２０ｂの夫々の表示板３４が見えなくなり、表示板３３が見え出す（なお、この図で示す状態では表示部２０ａの表示板３３の一方の面が完全に見えている）。その後更に６０度回転して、表示部２０ａ、２０ｂの夫々の表示板３４の一方の面が鉛直方向と反対方向、即ち上に向いた状態から図１０に示すように傾斜状態になると、各表示板３４が表示板受け部材３５ｃに沿ってスライドして行き、最終的にはそれまで一端側がガイドピン３６ｃに保持されていたのが、他端側が保持される。
【００１８】
その後、更に６０度回転すると、図１１に示すように表示部２０ａ、２０ｂの夫々の表示板３３が見えなくなり、表示板３２が見え出す（なお、この図で示す状態では表示部２０ａの表示板３２の一方の面が完全に見えている）。その後６０度回転して、表示部２０ａ、２０ｂの夫々の表示板３３の一方の面が鉛直方向と反対方向、即ち上に向いた状態から傾斜状態になると、各表示板３３が表示板受け部材３５ｂに沿ってスライドして行き、最終的には図１２に示すように、それまで一端側がガイドピン３６ｂに保持されていたのが、他端側が保持される。また、表示部２０ａ、２０ｂの夫々の表示板３２が表示位置に来る。この場合、表示部２０ａ、２０ｂの夫々の表示板３２は図６に示す状態とは異なり、その他方の面側が見えることになる。
【００１９】
このように、この実施の形態では、略三角柱状の表示部２０に、三枚の表示板３２の夫々を表裏反転させる機構を設けて、表示部２０を回転させた際に一方の面が鉛直方向と反対の方向に向いた状態の表示板３２、３３又は３４を、その状態から傾斜状態にある間に自重によって反転させるようにし、更に表示板３２、３３又は３４が鉛直方向になる位置に来たところを外部から見えるようにした。したがって、表示部２０の各面の表裏を使用することができるようになるので、従来表面側しか使用していなかった表示装置と比べて最大で２倍の量の表示ができ、広告として使用した場合に大きな宣伝効果を得ることができる。
【００２０】
なお、上記実施の形態では、側板３０、３１の夫々の互いに対向する面に断面四角形の棒状の表示板受け部材３５ａ〜３５ｃを設けたが、図１３に示すように、中空の三角柱状の表示板受け部材５０を側板３０、３１の間に亘って設けるようにしても良いし、実施の形態の表示板受け部材３５ａ〜３５ｃを一体とした形状としても良い。要は、表示板３２、３３、３４の夫々をスライドさせると共に回転軸４側へ行かないようにできるものあれば、その形状に限定はない。
【００２１】
【発明の効果】
本発明によれば、三角柱状或いはそれに類似した形状の表示部に、表示板を表裏反転させるスライドによる機構を設け、表示部を回転させた際に、鉛直方向と反対の方向に向いた状態から傾斜状態にある間に表裏が逆になるようにしたので、従来表面側しか使用していなかった表示装置と比べて最大で２倍の量の表示ができ、広告として使用した場合に大きな宣伝効果を得ることができる。
【図面の簡単な説明】
【図１】本発明に係る表示装置の実施の形態の構造を示す三面図である。
【図２】実施の形態の表示装置の表示部の分解状態を示す斜視図である。
【図３】実施の形態の表示装置の表示板の一部分の構造を示す斜視図である。
【図４】実施の形態の表示装置の側板を示す側面図である。
【図５】実施の形態の表示装置の表示板の動きを説明するための図である。
【図６】実施の形態の表示装置の表示部の動きを説明するための側面図である。
【図７】実施の形態の表示装置の表示部の動きを説明するための側面図である。
【図８】実施の形態の表示装置の表示部の動きを説明するための側面図である。
【図９】実施の形態の表示装置の表示部の動きを説明するための側面図である。
【図１０】実施の形態の表示装置の表示部の動きを説明するための側面図である。
【図１１】実施の形態の表示装置の表示部の動きを説明するための側面図である。
【図１２】実施の形態の表示装置の表示部の動きを説明するための側面図である。
【図１３】本発明に係る表示装置の他の実施の形態の表示部の分解状態を示す斜視図である。
【図１４】従来の表示装置の構造を示す三面図である。
【図１５】従来の表示装置の表示部を示す側面図である。
【符号の説明】
４、１０  回転軸
５、７、８、１１  笠歯車
６  駆動軸
９  モータ
２０、２０ａ、２０ｂ  表示部
３０、３１  側板
３２、３３、３４  表示板
３５ａ〜３５ｃ、５０  表示板受け部材
３６ａ〜３６ｃ  ガイドピン
３８  溝
【図１】
0003547919.tif 000002
【図２】
0003547919.tif 000003
【図３】
0003547919.tif 000004
【図４】
0003547919.tif 000005
【図５】
0003547919.tif 000006
【図６】
0003547919.tif 000007
【図７】
0003547919.tif 000008
【図８】
0003547919.tif 000009
【図９】
0003547919.tif 000010
【図１０】
0003547919.tif 000011
【図１１】
0003547919.tif 000012
【図１２】
0003547919.tif 000013
【図１３】
0003547919.tif 000014
【図１４】
0003547919.tif 000015
【図１５】
0003547919.tif 000016